(57)【要約】古物商法を順守して電子デバイスを再販するための方法及びシステムが開示される。本システムは、キオスク、ネットワーク、及びデータベースを持つサーバを含む。キオスクは、好ましくは外部カメラ、指紋リーダ、及び識別（カード）リーダを含む。【選択図】図２２
2016519355.tif 000002
【特許請求の範囲】
【請求項１】
古物商法を順守して電子デバイスを再販するためのシステムであって、
指紋リーダ、識別リーダ、外部撮像コンポーネント、プロセッサ、検査域、前記検査域内の撮像コンポーネント、及び前記検査域内の電気コネクタを備え、前記電気コネクタが、前記検査域内に位置付けられる電子デバイスへの接続を行うことができる、装置と、
ネットワークと、
データベースを持つサーバであって、前記ネットワークで前記装置に接続される、サーバと、を備え、
前記装置の前記プロセッサが、再利用者の識別を検証し、前記データベースに再販者の指紋を処理し、前記データベースに前記再利用者の画像を撮影し、前記電子デバイスの識別を入手するように構成され、前記プロセッサが、転送データとして前記再販者の前記画像、前記再販者の前記識別情報、前記再販者の前記指紋、前記電子デバイスの前記識別を収集するように構成され、前記プロセッサが、前記転送データを前記ネットワークで前記サーバに送信するように構成され、
前記サーバが、前記装置の所在地の管轄の古物商法を考慮して前記転送データを分析し、前記古物商法の順守のための手順を決定し、前記古物商法を順守するように構成される、前記システム。
【請求項２】
前記再販者とのやりとりを行うための係員を持つ遠隔地をさらに含む、請求項１に記載の前記システム。
【請求項３】
前記指紋は親指の指紋である、請求項１に記載の前記システム。
【請求項４】
前記電子デバイスの前記識別が、ＩＭＥＩ、ＭＥＩＤ、またはシリアル番号である、請求項１に記載の前記システム。
【請求項５】
前記管轄の規制機関に古物商法の順守報告書を送信することをさらに含む、請求項１に記載の前記システム。
【請求項６】
前記転送データを前記データベースに記憶することをさらに含む、請求項１に記載の前記システム。
【請求項７】
前記装置が、
筐体と、前記ユーザが情報を入力するための、前記筐体の外部表面上のユーザインターフェースと、をさらに備え、
前記プロセッサが、前記撮像コンポーネント、前記電気コネクタ、及び前記ユーザインターフェースと通信し、前記プロセッサが、前記ユーザからの前記情報及び前記撮像コンポーネントからの前記画像のうちの少なくとも１つに基づいて、前記電子デバイスのブランド及び型番を識別するように構成され、前記プロセッサが、前記電子デバイスのディスプレイの目視分析を実施するように構成され、前記プロセッサが、前記電子デバイスの電気分析を実施するように構成され、前記プロセッサが、前記電子デバイスについての経済的対価を決定するように構成され、前記プロセッサが、前記電子デバイスからの前記データ転送を管理するように構成される、請求項１に記載の前記システム。
【請求項８】
前記電子デバイスが携帯電話である、請求項１に記載の前記システム。
【請求項９】
前記サーバが、顔認証ソフトウェアを用いて、前記キオスクから入手された画像及び前記再販者の識別の画像に基づいて再販者を識別し、サーバが、前記２つの画像を比較するように構成される、請求項１に記載の前記システム。
【請求項１０】
古物商法を順守して電子デバイスを再販するための方法であって、
装置で再販するための電子デバイスを提出することと、
前記電子デバイスの再販者の識別を検証することと、
前記再販者の指紋を入手することと、
前記再販者の画像を入手することと、
電子デバイスの識別を入手することと、
転送データとして、前記再販者の画像、前記再販者の識別情報、前記再販者の前記指紋、及び前記電子デバイスの前記識別を収集することと、
前記転送データをネットワークでサーバに送信することと、
前記装置の所在地の管轄の古物商法を考慮して前記転送データを分析することと、
前記古物商法の順守のための手順を決定することと、
前記古物商法を順守することと、をさらに含む、前記方法。
【請求項１１】
前記装置が、指紋リーダ、識別リーダ、外部撮像コンポーネント、プロセッサ、検査域、前記検査域内の撮像コンポーネント、及び前記検査域内の電気コネクタを備え、前記電気コネクタが、前記検査域内に位置付けられる電子デバイスへの接続を行うことができる、請求項１０に記載の前記方法。
【請求項１２】
遠隔地にいる係員とのやりとりを行うことをさらに含む、請求項１０に記載の前記方法。
【請求項１３】
前記指紋は親指の指紋である、請求項１０に記載の前記方法。
【請求項１４】
前記電子デバイスの前記識別が、ＩＭＥＩ、ＭＥＩＤ、またはシリアル番号である、請求項１０に記載の前記方法。
【請求項１５】
古物商法の順守報告書を州の機関に送信することをさらに含む、請求項１０に記載の前記方法。
【請求項１６】
前記転送データを前記データベースに記憶することをさらに含む、請求項１０に記載の前記方法。
【請求項１７】
前記装置が、
筐体と、
前記ユーザが情報を入力するための、前記筐体の外部表面上のユーザインターフェースと、をさらに備え、
前記プロセッサが、前記撮像コンポーネント、前記電気コネクタ、及び前記ユーザインターフェースと通信し、前記プロセッサが、前記ユーザからの前記情報及び前記撮像コンポーネントからの前記画像のうちの少なくとも１つに基づいて、前記電子デバイスのブランド及び型番を識別するように構成され、前記プロセッサが、前記電子デバイスの前記ディスプレイの目視分析を実施するように構成され、前記プロセッサが、前記電子デバイスの電気分析を実施するように構成され、前記プロセッサが、前記電子デバイスについての経済的対価を決定するように構成され、前記プロセッサが、前記電子デバイスからの前記データ転送を管理するように構成される、請求項１１に記載の前記方法。
【請求項１８】
前記電子デバイスが携帯電話である、請求項１０に記載の前記方法。
【請求項１９】
顔認証ソフトウェアを用いて、前記キオスクから入手された画像及び再販者の識別の画像に基づいて、再販者を識別することと、前記２つの画像を比較することと、をさらに含む、請求項１０に記載の前記方法。
【請求項２０】
前記再販者から前記電子デバイスを購入する前に、フィルタとして、前記電子デバイスの前記識別が、盗まれた電子デバイスのデータベースに対して比較される、請求項１４に記載の前記方法。
【発明の詳細な説明】
【技術分野】
【０００１】
本出願は、２０１１年４月６日に出願され、現在は放棄されている米国仮出願第６１／４７２，６１１号に対する優先権を主張する、２０１２年４月４日に出願された米国特許出願第１３／４３８，９２４号の一部継続出願である、２０１２年１２月３日に出願された米国特許出願第１３／６９３，０３２号の一部継続出願であり、及び２００８年１０月２日に出願され、現在は放棄されている米国仮特許出願第６１／１０２，３０４号、及び２００９年６月２日に出願され、現在は放棄されている第６１／１８３，５１０号に対する優先権を主張する、現在は２０１２年６月５日に発行された米国特許第８１９，５５１号である、２００９年１０月２日に出願された米国特許出願第１２／５７３，０８９号の一部継続出願である、現在は２０１１年２月１日に発行された米国特許第７，８８１，９６５号である、２０１０年５月１９日に出願された米国特許出願第１２／７２７，６２４号の一部継続出願である、現在は２０１２年６月１２日に発行された米国特許第８，２００，５３３号である、２０１０年５月２３日に出願された米国特許出願第１２／７８５，４６５号の一部継続出願でもあり、これらすべての全体は参照により本明細書に組み込まれる。
【０００２】
本発明は、概して古物商法を順守した電子デバイスの再販に関する。
【背景技術】
【０００３】
典型的な消費者によって使用される電子デバイスの数は、非常に増加している。これらのデバイスには、セル方式携帯電話、個人情報端末、ＭＰ３プレイヤー、ＧＰＳデバイス、カメラ、ポケットベル、リモコン、コードレス電話、計算機等が含まれる。電子デバイスの新しい技術及び型が導入される速いペースは、多くの消費者が１つ以上の再利用可能なデバイスを、頻繁にアップグレードまたは取り換えるという状況を作る。しばしば、消費者は、以前の電子デバイスを廃棄するのではなく、使用を中止するのみで新しいデバイスを使用し始める。これは、かかるデバイスのいくつかの世代にわたって生じ得る。
【０００４】
上述した電子デバイスに加えて、比較的高頻度の取り換え速度を有する多くの他の種類のデバイスが存在し、それはセル方式携帯電話、ＭＰ３プレイヤー等の携帯型モバイル電子デバイス、及びコンピュータ、プリンタ等の非携帯型電子デバイスを含む。電子デバイスに加えて、ＣＤ、ＤＶＤ、またはカートリッジ上のゲーム、またはＣＤ、ＤＶＤ、ＢｌｕＲａｙ等の娯楽用大容量記憶アイテム等のコンテンツベースのデジタル媒体が存在する。かかるアイテムを、再利用を介して、または適切な廃棄手順の両方により、環境に優しい方途で取り扱うための必要性が存在する。電子デバイスの所有者がかかるデバイスを再利用または適切に廃棄することは便利ではなかった。現在のところ、デバイス所有者が中古デバイスについて「正しいことをする」ことに対して、わずかな誘因しか存在しない。所有者がデバイスの使用を中止し、デバイスを倉庫に入れてしまうと、第三者による再利用または再使用の機会は失われる。所有者がデバイスを普通のゴミ箱に捨てた場合、デバイスの適切な再利用または安全な廃棄は阻止される。これらの電子デバイスを再利用するための努力が払われてきた。
【０００５】
再利用することに関連付けられる１つの特定の問題は、古物商法を順守することである。多くの州が、盗品の不正売買を防止するため、１９００年代半ばに古物商及び質屋の規制を開始した。その概念は、古物商が購入したそれぞれの品目及びそれらの品目を販売したそれぞれの販売者についての情報を捕捉することを古物商に求めることにより、盗品の故買を抑止し、法の執行を可能にして報告された盗品を特定し、販売者を辿るというものであった。長年にわたり、これらの法の多くが、地方自治体による報告書の記入を義務付けるように拡張したが、しかし多くの地方自治体が、盗難物品を追跡する手段としてさほど成功しておらず、あらゆる面で書類仕事の負担を発生させたため、この法を執行しないことを選択した。質屋はほとんどの他の古物商とはまったく完全に異なる方途で大幅に商売を行うため、質屋は古物商よりもさらに厳密に規制される。多くの古物商法（別名、質屋免許、中古品販売許可証等）は宝石、黄金、及び他の貴金属を対象とすることを目的とするが、いくつかの古物商法はシリーズ化された電子機器（携帯電話及び他の電子機器を含む）をも含む。残念ながら、数十年前に作成された法の伝統的な分析は、この新しい世紀において商売がどのように行われているかをもはや正確に反映せず、解釈及び執行の多くは地方の法執行機関及び免許を供与する当局に委ねられている。これらの法が存在し、かつ執行されるとき、これらの法は一般的に、地方の法執行機関に報告されるという処理を必要とし、品目が再販される前に、時には７〜３０日間の保留期間と、それぞれの販売者の指紋及びＩＤデータ捕捉とを必要とする。
【０００６】
先行技術は、電子デバイスを再利用し、かつ古物商法を順守する効率的な機構を提供することができていない。
【発明の概要】
【発明が解決しようとする課題】
【０００７】
本発明は、公然とアクセス可能な場所で、古物商法を順守して電子デバイスを安全に再利用、寄贈、下取り、及び／または販売することを可能にする。
【課題を解決するための手段】
【０００８】
本発明の一態様は、古物商法を順守して電子デバイスを再販するためのシステムである。本システムは、装置、ネットワーク、及びデータベースを持つサーバを含む。装置は、指紋リーダ、識別リーダ、外部撮像コンポーネント、プロセッサ、検査域、検査域内の撮像コンポーネント、及び検査域内の電気コネクタを備える。電気コネクタは、検査域内に位置付けられる電子デバイスへの接続を行うことができる。サーバは、ネットワークで装置に接続される。装置のプロセッサは、再販者の識別を検証し、データベースに再販者の指紋を処理し、データベースに再販者の画像を撮影し、電子デバイスの識別を入手するように構成される。プロセッサは、転送データとして、再販者画像、再販者の識別、再販者の指紋、及び電子デバイスの識別を収集するように構成される。プロセッサは、転送データをネットワークでサーバに送信するように構成される。サーバは、装置の所在地の管轄の古物商法を考慮して転送データを分析し、古物商法の順守のための手順を決定し、古物商法を順守するように構成される。
【０００９】
本発明の別の態様は、古物商法を順守して電子デバイスを再販するための方法である。方法は、再販用の電子デバイスを装置に提出することを含む。方法は、電子デバイスの再販者の識別を検証することも含む。方法は、再販者の指紋を入手することも含む。方法は、再販者の画像を入手することも含む。方法は、電子デバイスの識別を入手することも含む。方法は、転送データとして、再利用者画像、再販者の識別、再販者の指紋、及び電子デバイスの識別を収集することも含む。方法は、転送データをネットワークでサーバに送信することも含む。方法は、装置の所在地の管轄の古物商法を考慮して転送データを分析することも含む。方法は、古物商法の順守のための手順を決定することも含む。方法は、古物商法を順守することも含む。
【００１０】
取引を完了するには、それぞれの再販者が有効なＩＤを提供しなければならず、かつ少なくとも１８歳でなければならない。キオスクは、ＩＤを撮影するだけでなく、ＩＤのホログラム、透かし、または５０州すべてで用いられている他の特定の認証方法について調査することにより真偽を検証する、最新式のＩＤスキャナー及び検証ソフトウェアを用いる。再販者は、キオスクに有効なＩＤが提示されない限り、続行することができず、支払いもされない。これらのＩＤの画像は、収集、記憶され、要請があれば報告プロセスの一部として利用可能である。キオスクは、サーバとともに、ＩＤ上の写真と、キオスクのカメラを通じて見える人物の写真とを、顔認識アルゴリズムを通じてＩＤを照合するためのソフトウェアを利用する。多くの法執行当局が、特定の人々に対するＩＤを検証するための類似のバイオメトリックソフトウェアに依存している。
【００１１】
本システムは、人員がそれぞれのキオスクのそれぞれの取引を、ソフトウェアのみでなく人間によって顔及び情報が照合されるように、販売者の画像及び販売者のＩＤを閲覧することにより、遠隔コールセンターから承認または拒否することを可能にする、リアルタイム通信技術である。本プロセスは、生中継の係員ソフトウェアを通じて、１つの取引についてほんの２、３秒しかかからない。訓練された操作者によって操作されたとき、単数の操作者は、１５０〜３００台のキオスクのライブ取引量を一度に取り扱い得ると推定される。
【００１２】
取引を完了するには、それぞれの消費者が有効な親指の指紋を提供しなければならない。キオスクは、親指の指紋読取り技術における最新の技術を用いて、有効な親指の指紋が取引毎に確実にキャプチャされるようにする。この技術は、親指の指紋を収集及び照合するために、世界中の政府機関によって広く用いられている。ソフトウェアは、キャプチャされた親指の指紋を実際に検証して、この親指の指紋が判読可能であり、かつ業界基準によって許容可能であることを確認する。消費者は、有効な親指の指紋がキャプチャされるまで、続行することができず、支払もされない。これらの親指の指紋の画像は、収集、記憶され、要請があれば報告プロセスの一部として利用可能である。
【００１３】
キオスクは、それぞれのデバイスから（技術的に可能であれば）シリアル番号（ＩＭＥＩ、ＭＥＩＤ等）を電子的に抽出し、要請があればこのシリアル番号を報告プロセスの一部として提供する。
【００１４】
キオスクは、それぞれのデバイスのそれぞれの販売者の複数の高解像度画像をキオスクで収集及び記録し、これらの高解像度画像を報告プロセスの一部として提供し得る。
【００１５】
法律で規定されていないが、サーバは、収集されたそれぞれのデバイスの複数の高解像度画像を収集及び記録し、これらの高解像度画像を報告プロセスの一部として提供し得る。
【００１６】
本発明の追加的な態様は、古物商法を順守して、携帯電話、タブレットコンピュータ、電子書籍リーダ、ＭＰ３プレイヤー等の電子デバイスを再利用するためのキオスクである。キオスクは、好適には、ユーザ対話用のタッチ画面ディスプレイを持つ筐体を有する。キオスクはまた、上部チャンバ、下部チャンバ、及び電子デバイスを検査域の中に輸送するための透明プレートによって画定される検査域も有する。上部及び下部チャンバは、好適には、検査域内の電子デバイスの多角度の閲覧、または３Ｄ外形さえも取得するために、内部表面上にカメラ等の撮像コンポーネントに沿って鏡を有する。キオスクはまた、好適には、電子デバイスに電気的に接続するために、複数の異なる電気コネクタを持つカルーセルを有する。キオスクはまた、好適には、電子デバイスを自動的に投入するための機構を有する。キオスクはまた、電気デバイスの識別の目視分析を実施し、電子デバイスの状態、特に電子デバイスのＬＣＤディスプレイを判断するように構成されるプロセッサを有する。プロセッサは、電子デバイスの電気分析を実施するように構成される。さらに、プロセッサは、電子デバイスからデータを消去または転送するように構成される。
【００１７】
本方法のキオスクは、筐体を備え、この筐体は、ユーザが情報を入力するための筐体の外部表面上のユーザインターフェース、上方ドーム及び下方ドームを備え、上方ドーム及び下方ドームは、複数の鏡を備える。キオスクは、上部チャンバカメラ、下部チャンバカメラ、及び透明な表面をさらに備える。キオスクは、筐体内にあり、かつ少なくとも１つのカメラと連通しているプロセッサをさらに備え、このプロセッサは、ユーザからの情報及び少なくとも１つのカメラからの画像のうちの少なくとも１つに基づいて、モバイル通信デバイスのブランド及び型番を識別するように構成され、このプロセッサは、モバイル通信デバイスの中古モデルの購入価格を決定するように構成される。
【００１８】
本発明を簡単に説明したが、本発明の上記の及びさらなる目的、特徴及び利点は、添付の図面とあわせて理解されれば、以下の本発明の詳細な説明から、当業者によって認識されるであろう。
【図面の簡単な説明】
【００１９】
【図１】第２の販売者法を順守して電子デバイスを再販するためのシステムのブロック図である。
【図２】携帯電話からのデータの消去のために電気コネクタに接続された携帯電話の分離図である。
【図３】図２の携帯電話上に記録されたデータの分離図である。
【図４】再利用される電子デバイスから再利用キオスクの検査域内の新しい電子デバイスへのデータの転送の分離図である。
【図５】再利用される電子デバイスから再利用キオスクの検査域内の新しい電子デバイスへのデータの転送の図である。
【図６】遠隔操作者による分析のために携帯電話を見ることを可能にするための、再利用キオスク検査域内の撮像コンポーネントの分離図である。
【図７】再利用キオスクの検査域内の携帯電話の画像を示すディスプレイ画面を見る操作者の透視図である。
【図８】再利用キオスクの透視図である。
【図８Ａ】図８の再利用キオスクの正面図である。
【図８Ｂ】図８の再利用キオスクの正面の分離図である。
【図８Ｃ】図８の再利用キオスクの正面の分離図である。
【図９】電気コネクタホイールの分離図である。
【図９Ａ】電気コネクタがステージング領域である、分離図である。
【図９Ｂ】取り外された位置にある電気コネクタの分離図である。
【図９Ｃ】取り外されている電気コネクタの分離図である。
【図９Ｄ】引き戻されている電気コネクタの分離図である。
【図１０】キオスクの内部コンポーネントの透視図である。
【図１０Ａ】キオスクの内部コンポーネントの透視図である。
【図１０Ｂ】キオスクの内部コンポーネントの透視図である。
【図１０Ｃ】キオスクの内部コンポーネントの透視図である。
【図１１】キオスクの電話検査プレートの分離図である。
【図１１】キオスクの中で転送されている電話の分離図である。
【図１１Ｂ】キオスクの中で転送されている電話の分離図である。
【図１１Ｃ】キオスクの中に投入されている電話の分離図である。
【図１２】再利用キオスクのコンポーネントのブロック図である。
【図１３】再利用キオスクのコンポーネントのブロック図である。
【図１４】キオスクの検査域の分離図である。
【図１５】キオスクのドームの中のカメラの分離図である。
【図１６】キオスクの検査域の中の電話の分離図である。
【図１７】電話の正面図である。
【図１８】電気コネクタに接続された電話の正面図である。
【図１９】電子デバイスを再利用するためのフローチャートである。
【図２０】事前取得オークション方法のためのフローチャートである。
【図２１】第２の販売者法を順守して電子デバイスを再販するためのシステムのブロック図である。
【図２２】古物商法を順守して電子デバイスを再販するための方法である。
【発明を実施するための形態】
【００２０】
図１は、第２の販売者法を順守して電子デバイスを再販するためのシステムのブロック図である。電子デバイスを再利用し、経済的対価を提供するためのキオスクが、一般的に指定されている１００。電子デバイス１５０は、スマートフォン、携帯電話、タブレットコンピュータ、ＩＰＯＤ（登録商標）デバイス、ＭＰ３プレイヤー、ＧＰＳデバイス、電子書籍リーダ等であり得る。検査域内において、電子デバイス１５０が透明プレート５４５上に置かれ、電気コネクタ５０５に接続される。電子デバイス１５０からのデータは、消去されるか、または電子デバイス１５０から転送される。図２に示されるように、消去される場合、キオスク１００のプロセッサは、図３に示されるように、電子デバイス１５０に命令してすべての個人データを削除するように構成される。電子デバイスのオペレーティングソフトウェア等の他のデータは消去されない。データが転送される場合、一実施形態は、電子デバイス１５０からキオスク１００を通じて、電子デバイスのエンドユーザによる最終的な取り出しのために、データベースの中に記憶するために、ネットワーク５０でサーバ７５にデータを転送するように構成されるキオスク１００のプロセッサを含む。別の実施形態において、図４及び図５に示されるように、データは、再利用される電子デバイス１５０ａから新しい電子デバイス１５０ｂに転送される。両方のデバイス１５０ａ及び１５０ｂが、好適には、検査域内１０６の透明プレート５４５上に置かれ、電気コネクタ５０５ａ及び５０５ｂに各々接続される。転送は、電子デバイス１５０ａ及び１５０ｂのディスプレイ画面１５３ａ及び１５３ｂ上に示される。
【００２１】
好適な実施形態において、図２１は、第２の販売者法を順守して電子デバイスを再販するためのシステムのブロック図である。電子デバイスを再販し、経済的対価を提供するためのキオスクは、一般的に指定されている１００。電子デバイス１５０は、スマートフォン、携帯電話、タブレットコンピュータ、ＩＰＯＤ（登録商標）デバイス、ＭＰ３プレイヤー、ＧＰＳデバイス、電子書籍リーダ等であり得る。キオスク１００は、好適には、外部カメラ９１、指紋リーダ９２、及び識別（カード）リーダ９３を含む。検査域１０６において、電子デバイス１５０が透明プレート５４５上に置かれ、電気コネクタ５０５に接続される。装置のプロセッサは、再販者の識別を検証し、データベースに再販者の指紋を処理し、データベースに再販者の画像を撮影し、電子デバイスの識別を入手するように構成される。プロセッサは、転送データとして、再販者画像、再販者の識別、再販者の指紋、及び電子デバイスの識別を収集するように構成される。プロセッサは、転送データをネットワークでサーバに送信するように構成される。
【００２２】
電子デバイス１５０からのデータは、電子デバイス１５０から削除され、必要であれば政府規制機関による取り出しのために、電子転送データファイルとしてデータベース７７の中に記憶するために、キオスク１００を通じて電子デバイス１５０からネットワーク５０でサーバ７５に転送される。これは、装置の所在地の管轄の古物商法を考慮して、転送データを分析し、古物商法の順守のための手順を決定し、古物商法を順守するように構成される。
【００２３】
サーバ７５はまた、必要であれば、政府規制機関のクライアントデバイス８１にネットワーク５０で通信を送信するように構成される。さらなる一実施形態において、電子デバイスの識別は、電子デバイスを再販者から購入する前に、電子デバイスのＩＭＥＩ、ＭＥＩＤ、またはシリアル番号を用いて、フィルタとして盗まれた電子データベースに対して比較される。追加的なさらなる一実施形態において、キオスク１００は、クライアントデバイス８１とともに小売店の中に設置される。さらに追加的なさらなる一実施形態において、クライアントデバイス７７は、エンドユーザの自宅またはオフィスにあり、エンドユーザによって新しい電子デバイス１５０ａに転送データ７８がアップロードされる。
【００２４】
一実施形態において、サーバ７５は、電子ファイルの中にデータを添付した電子メール、またはデータベースのデータへのリンクの形式でエンドユーザに通信を送信する。
【００２５】
別の実施形態において、サーバ７５は、キオスク１００の外部カメラ９１から入手された画像、及び識別リーダ９３からの再販者の識別の画像に基づいて、顔認証ソフトウェアを用いて再販者を識別する。サーバ７５は、この２つの画像を比較し、この２つの画像を顔画像データベースとも比較し得る。
【００２６】
本発明のまた別の実施形態において、図６及び図７に示されるように、遠隔地の操作者は、少なくとも１つのカメラ６１０を用いて、キオスク１００の検査域１０６内の電子デバイス１５０を目視で検査する。操作者はまた、下記で説明されるように、電子デバイス１５０の電気分析からデータを受信する。このように、遠隔操作者は、電子デバイス１５０を再販することを試みる再販者のために、人的対話を提供する。
【００２７】
図８、図８Ａ、図８Ｂ、及び図８Ｃに示されるように、キオスク１００は、擬似直方体形の筐体１０５を有する。ヘッダー１０３は、マーケティング及び動画を可能にする。本体前面領域１３１の中のアクセス扉１３０は、電子デバイスに検査域１０６へのアクセスを提供する。筐体１０５の全面は、ユーザに情報を提供するためのディスプレイ画面１１５を有し、タッチ画面の実施形態においてユーザインターフェースとしての役割を果たす。筐体１０５の外部はまた、好適には、ラベル印刷機１２５、割引券払出機１２６、レシート印刷機１２７、及び現金またはカード払出機１２８を有する。外部筐体はまた、親指の指紋リーダも有し得る。
【００２８】
キオスク１００は、電子デバイスを識別するため、及び電子デバイスを再利用することの価値を究明するために、電子デバイスが損傷していることを判断するための電子デバイスの自動目視分析を可能にする。さらに、キオスク１００はまた、電子デバイスの電気分析も可能にする。
【００２９】
図９、図９Ａ、図９Ｂ、図９Ｃ、及び図９Ｄに示されるように、キオスク１００は、複数の電気コネクタ５０５ａ〜５０５ｙを含むカルーセル５００を備える。電気コネクタ５０５のそれぞれが、電子デバイスとの着脱可能な接続のための固有の接続プラグを有する。電気コネクタ５０５ａ〜５０５ｙのそれぞれが、カルーセル５００の中に着脱可能に固定されたカートリッジを有する。よって、より古い電気コネクタ５０５が新しい電気コネクタ５０５に置き換えられ得る。さらに、キオスク１００は、取り外し機構５１１を用いた電気コネクタ５０５の自動着脱を可能にするように設計される。図９Ａにおいて、電気コネクタ５０５は、電気デバイスのポートに接続され得る（図１８に示されるように）ステージング領域にある。次に、図９Ｂ及び図９Ｃに示されるように、取り外し機構５１１の蝶番アーム５１２は、電気コネクタ５０５の可動部材を係合して、可動部材の外側への動き及び電子デバイスの一部からの電気コネクタ５０５の離断を強制する（図１８に示されるように）。図９Ｄに示されるように、電気コネクタ５０５は、ケーブルによって取り外し機構５１１から引き戻される。
【００３０】
図１０、図１０Ａ、図１０Ｂ、及び図１０Ｃに示されるように、キオスク１００の内部機構１０１は、上部チャンバ５２０、下部チャンバ５３０、投入プレート５４０、透明プレート５４５、扉５５０、投入箱５５５、及びカルーセル５００を含む。好適には、カルーセル５００は、約２５個の電気コネクタ５０５を保持することができ、この電気コネクタ５０５は、ＵＳＢ及び他の同様の接続における変化に容易に適合するように、交換可能である。図１０Ｂに示されるように、携帯電話１５０は、透明プレート５４５の上に置かれ、上部チャンバ５２０及び下部チャンバ５３０内の検査域１０６に移送される。上部チャンバ及び下部チャンバの両方が、好適には、鐘様の形状を有する。図１０Ｃに示されるように、携帯電話は、目視分析のために上部チャンバ５２０と下部チャンバ５３０との間で移動される。透明なプレートは、好適には、透明なプラスティック材料のガラスから成り、上部チャンバ５２０及び下部チャンバ５３０内の撮像コンポーネントが携帯電話１５０の複数の閲覧画像を取得することを可能にする。好適には、携帯電話の３Ｄ外形は、携帯電話の識別及び状態について目視分析を提供するために生成される。目視分析が完了すると、透明プレート５４５が上部チャンバ５２０と下部チャンバ５３０との間から退出する。
【００３１】
図１１、図１１Ａ、図１１Ｂ、及び図１１Ｃは、キオスク１００の内部機構１０１内の電子デバイス１５０の自動輸送及び投入を示す。図１１に示されるように、扉５５０は、透明プレート５４５の上に来るように下げられ、次に透明プレート５４５がその上にある携帯電話１５０とともに内側に移動する。図１１Ａに示されるように、透明プレート５４５が内側に移動するにつれて、携帯電話は扉５５０によって制止され、携帯電話が透明プレート５４５の内側への動きによって作られた開口部の中へと落下を開始するにつれて投入プレート５４０を係合する。図１１Ｂに示されるように、携帯電話が投入プレート５４０の上に乗ると、投入プレート５４０の一面がゆっくりと下げられて投入箱５５５の中へと開く。図１１Ｃに示されるように、携帯電話１５０は、携帯電話１５０を確保し、後に収集するために、開口部５５６を通って投入箱５５５の中へとゆっくりと落下する。すべてのプロセスが、再利用される電子デバイスへの損傷を防止する速度で実施される。
【００３２】
キオスク１００は、炭酸飲料の販売機、両替機、缶再利用機、または他の自動販売機等の自動販売機の典型的な大きさ及び形状である。キオスク１００の筐体１０５は、内部機構１０１を保護し、再利用のために提出された電子デバイスを確保する。筐体１０５は、好適には、キオスク１００への権限を与えられたアクセスを防ぐために、鋼またはアルミニウム等の金属材料で構成される。
【００３３】
検査域１０６は、好適には、携帯電話、タブレットコンピュータ、電子書籍リーダ、ＭＰ３プレイヤー、ＰＤＡ等の電子デバイスの詳細な目視検査を許可するように設計される。検査域の壁は、好適には、電子デバイスの撮像を提供するため、白色及び／または鏡張りである。
【００３４】
キオスク１００から遠隔コンピュータへの連結は、好適には、インターネット等の通信ネットワークへの有線ＬＡＮ、無線ＬＡＮ、セルラーまたは任意の他の専有通信システムを介した単一連結である。キオスク１００は、好適には、携帯電話から取得された情報を処理し、キオスク１００のコンポーネントを制御するためのプロセッサ１６０を含む。好適には、プロセッサ１６０は、標準的なパーソナルコンピュータ（「ＰＣ」）またはＬｉｎｕｘ（登録商標）またはＭＡＣ  ＯＳなどの任意のオペレーティングシステムを実行する他の種類の組込型コンピュータである。プロセッサ１６０は、最も好適には、一体型ハードディスクドライブ（「ＨＤＤ」）、中央処理装置（「ＣＰＵ」）、及びキオスク１００の他のコンポーネントと通信するためのユニバーサルシリアルバス（「ＵＳＢ」）ポートを持つ省スペースＰＣである。最も好適な１つのＣＰＵは、ＤＥＬＬ  ＰＣ  ＯＰＴＩＰＬＥＸ  ７８０である。別様には、処理手段は、分散ＨＤＤ、電源、及びキオスク１００の他のコンポーネントとインターフェース接続する、独立するマザーボードを持つマイクロプロセッサである。キオスク１００は、好適には、実行可能アプリケーション、テストソフトウェア、データベース、及び再利用キオスク１００を操作するために必要な他のソフトウェアを記憶する、メモリ１６１またはディスクドライブ等の他の記憶デバイスを含む。
【００３５】
キオスク１００の外部通信コンポーネントは、好適には、インターネットへの接続を提供するための有線イーサネット（登録商標）を含み、または別様には、外部通信コンポーネントは、ＧＳＭ（登録商標）、ＣＤＭＡ、データ通信用の３Ｇ及び４Ｇ技術等の無線モデムを含む。
【００３６】
図１４〜図１６に示されるように、検査域１０６内の携帯電話１５０等の電子デバイスの目視検査は、好適には、上部チャンバ５２０内部の少なくとも１つのカメラ６１０によって実施される。下部チャンバ５３０はまた、好適には、少なくとも１つのカメラまたはスキャナー等の他の撮像コンポーネントを有する。別様には、目視検査は、複数のカメラによって実施される。好適なカメラ６１０は、１メガピクセル機械視覚カメラである。単一のカメラ６１０が検査域１０６の中で利用される場合、カメラ６１０は、好適には、透明プレート５４５上に置かれた携帯電話等の電子デバイス１５０を検査するための検査域１０６の視野を広げるために可動である。カメラ１６１は、好適には、可動である。好適には、カメラ６１０は、ＬＣＤ画面１５３が損傷しているかを判断するため、電子デバイス１５０のＬＣＤ画面１５３を撮像するように位置付けられる。上部チャンバ５２０及び下部チャンバ５３０の内部表面は、好適には、検査域１０６内に位置付けられる電子デバイスを見ることを最適化するために、鏡６１５を含む。図１６に示されるように、携帯電話１５０の反射１５０′が図示される。カメラ６１０はまた、好適には、電子デバイスの電気分析を実施するために、電子デバイスのための電気コネクタ５０５の種類を決定するために電子デバイスのデータポートを撮像するように可動である。別様には、電子デバイスの撮像の最適化のために、上部チャンバ５２０及び下部チャンバ５３０の内部表面全体が鏡張りである。カメラ（複数可）は別様には、ＣＣＤまたはＣＭＯＳＳである。
【００３７】
また、電子デバイスを検査するとき、時間は最も重要である。分析は、電子デバイスの照射期間内に完了され、照射デバイスは、電子デバイスのディスプレイ画面が照射した時間から、画面の消灯を証拠とする、ディスプレイ画面が省エネルギーモードに切り替わった時間までを含む。検査中、照射の明るさもまた測定される。照明は、好適には、ビーム分割器を持つＬＥＤベースの照明であり、または別様にはＵＶ照明である。
【００３８】
透明プレートは選択的に、重量計として動作して、対価値を決定するために用いられるための電子デバイスの質量を取得する。例えば、電子デバイス１５０の質量が販売者の電子デバイス用に仕様書に記載されるもの未満である場合には、電子デバイス１５０用のバッテリ等、電子デバイスの１つ以上のコンポーネントが欠落している可能性がある。
【００３９】
好適には、電子デバイスを分析するために、キオスク１００によって目視検査及び認識ソフトウェアが利用される。好適な一方法において、電子デバイスの特定のメーカー及びモデルに、認識アルゴリズムが適用される。目視検査及び認識ソフトウェアは、検査中に、電子デバイス１５０の外部寸法を判定するための電子デバイス１５０の境界線を判定する。外部寸法は、キオスク１００のメモリ１６１の中に格納された携帯電話のマスターデータベースから、または外部通信を用いてキオスク１００でオンライン利用の可能な、可能性のある携帯電話のサブセットを判定するために用いられる。目視検査及び認識ソフトウェアは次に、好適には、電子デバイス１５０をさらに区別するための一連の二次的及び三次的特徴を用いる。これらの二次的及び三次的特徴は、ディスプレイ画面の配置及び大きさ、キーボードの配置及び大きさ、固有のボタン、ポートの配置、及び他の際立った特徴を含み得る。電子デバイスの正確なメーカー及びモデルが判定されると、目視検査及び認識ソフトウェアは、同一のメーカー及びモデルの完全な電子デバイスの画像から電子デバイス１５０の画像を減算する。減算の結果は、好適には、破損または欠落した部品、亀裂の入った画面、及び低度、中度、高度の摩耗のカテゴリに校正された定量化できる数の画素である。
【００４０】
別様には、目視検査は、携帯電話１５０を識別するための神経回路パターン認識技術を用いて実施され、次に亀裂の入った画面等の欠陥を判定するために、フィルタアルゴリズムが利用される。さらに、当業者は、本発明の趣旨及び範囲を逸脱することなく、他の目視検査技術が採用され得るということを認識するであろう。
【００４１】
電子デバイス１５０の電気分析は、好適には、図２、図２Ａ、図２Ｂ、図２Ｃ、及び図２Ｄを参照して上述した通り、電子デバイス１５０のデータポートに接続された電気コネクタ５０５を用いて実施される。電子デバイス１５０のメーカー及びモデルが判定されると、目視検査またはタッチ画面ディスプレイ１１５等のユーザインターフェースを用いたユーザ入力のどちらかにより、電子デバイス１５０のデータポートへの接続のために的確な電気コネクタ５０５がカルーセル５００から分配される。電気コネクタ５０５の電子デバイス１５０との接続は、好適には、キオスク１００によって自動的に実施される。別様には、電気コネクタ５０５の適切な選択は、カルーセル５００上の所定の位置に回転し、照射または他の方途で、電気コネクタ５０５の電子デバイス１５０のデータポートへの手動接続のために消費者に提示される。電気分析ソフトウェアは、好適には、電子デバイス１５０とのやりとりを行うためにキオスク１００によって利用される。電気分析は、好適には、携帯電話が起動すること、充電を維持すること、的確に機能すること、電子デバイス１５０のディスプレイ画面に電力を供給すること、電子デバイス１５０についてのメーカー、モデル、シリアル番号、及び他の関係する情報、及び他の関連情報を提供することができるかを判定する。
【００４２】
タッチ画面ディスプレイ１１５は、好適には、キーパッド、ユーザ選択ボタン、ソフトキー、及び他の類似するコンポーネントを含む。タッチ画面ディスプレイ１１８は、再利用キオスク１００の種々の特徴及び機能への素早くかつ簡単なアクセスを可能にするために用いられる。再利用キオスク１００は、好適には、現金、クレジットカード、デビットカード、チップカード、キオスクのホスト場所からのギフトカード、または他のギフトカード、及び他の磁気ストライプカードまたは電子支払方法を含む、種々の形式の支払を施行する。キオスク１００はまた、バッテリパックの内側のバーコード識別を読み取るためのバーコードリーダも用いる。Ａｐｐｌｅ社または他社等の特定の販売者によって使用される「不可視」のバーコードを読み取るためのＵＶ検出器が用いられる。キオスク１００のバーコードリーダ、カメラ、及び／またはＵＶ検出器は、製品モデル、ＩＭＥＩ  ＃、及び／またはＦＣＣ  ＩＤを識別するために使用される別の技術である。別様には、キオスク１００は、試験するために無線通信を用いて電子デバイス１５０と通信し、必要であればデータを電子デバイス１５０から消去する。
【００４３】
図１３は、キオスク１００の主コンポーネントのブロック図である。プロセッサ１６０は、好適には、キオスク１００の他のコンポーネントと連通している。メモリ１６１は、好適には、画像、物理的特性、価格、及び他の類似する情報を含む、複数の携帯電話上の情報のデータベースを含む。外部通信１６７は、好適には、遠隔側と情報を送受信するために、無線接続またはイーサネット（登録商標）を通じてネットワークと通信する。電源１７０は、好適には、壁コンセントへの差込み接続を通じて受容される。機械的コンポーネント１６５は、電気コネクタカルーセル５００、透明プレート５４５、投入プレート５４０、扉５５０、及び他の類似するコンポーネントを含む。カメラ６１０または複数のカメラ、電気コネクタ、及びユーザインターフェースは、上述の通り、プロセッサ１６０とのやりとりを行う。図１２は、再利用キオスク１００の内部背面を図示する。示されるように、プロセッサ１６０は、好適には、バッテリ予備１７０ａ、外部通信用の無線接続１６７、電気的接続１４０、領収書分配器１０４、及びディスプレイ画面１１５を有するパーソナルコンピュータである。
【００４４】
プロセッサ１６０は、目視検査及びユーザインターフェースからの情報を用いて、再利用のために提出された電子デバイス１５０を識別する。プロセッサ１６０はまた、目視検査中にまたはユーザインターフェースから取得された情報を用いて、電子デバイス１５０のデータポートへの接続のための適切な電気コネクタ５０５も判断する。プロセッサ１６０はまた、電子デバイス１５０のデータポートに接続された電気コネクタ５０５を用いて実施される、電子デバイス１５０の電気分析からの情報も振り向け及び受信する。プロセッサはまた、好適には、目視検査、選択的に電気分析及びキオスクのメモリ１６１に記憶されたデータまたは外部通信コンポーネント１６７を介して外部から提供された情報に基づいて、提出された電子デバイス１５０についての経済的対価を決定する。
【００４５】
好適な再利用方法についてのフローチャートが図１９に示される。ステップ３０１で、顧客は電子デバイスを販売または再利用することを選ぶ。顧客は、キオスクの画面の一覧から、電子デバイスが販売／修復用にサポートされているかを確認する。顧客は、画面上のメニューシステムを起動し、電話モデルを直接入力するか、または一連のメニューに目を通して、電子デバイスが販売する資格があるか、または再利用のみであるかを判断する。決定ブロック３０２で、電子デバイスが再利用のみに利用可能であるか判定される。その場合（すなわち、再販用に利用可能な電子デバイスの一覧に掲載されていない）、顧客は、ステップ３０３で電子デバイスを容器の中へと挿入し得、電子デバイスは再利用のために投入箱１１２の中へと落下する。
【００４６】
電子デバイスが修復／再販用にサポートされている場合、顧客は次に、システムの試験／格付け操作に取り組むことを推奨される。ステップ３０４で、システムは、電子デバイスに連結するための的確なコネクタを決定している。接続性選択肢は、ケーブル、標準または専用コネクタ、ハードドック、着脱可能な外部可能物理メモリの読み出し、またはＷｉＦｉ、Ｂｌｕｅｔｏｏｔｈ（登録商標）、ＲＦＩＤ、ＮＦＣ等の他の無線方法に限定されない。ステップ３０５で、電子デバイスは、検査域１０６の中へと接続及び挿入される。これが的確に行われると、顧客はなんらかの指示（例えば、青信号）を与えられ、システムはステップ３０６と進む。ステップ３０６で、電子デバイスは、診断を用いて、及び例えばＯＭＳＩインターフェースを動作することを介して、動作について試験される。診断は、好適には、電子デバイスのバッテリ、画面、メモリ、ボタン機能性、及び構造整合性を含む電気及び物理試験を含む。
【００４７】
好適には、電子デバイスは撮像され、傷、亀裂、摩耗パターン、凹み、破損または欠落部分、レンズ、ボタン、コネクタ、バッジ、ラベル及び／またはブランド印等の機能の封入を識別するために分析ソフトウェアが用いられる。識別は、画像比較または撮影された電子デバイスの画像が正規化され、参照画像を比較される他の類似の方法によって行われ得る。目視及び／または電気試験とあわせて、特定の重量を判定し、製造者の照合及び精密なデバイスモデルの照合をさらに精緻化するためにそのデータを用いるために、計量を含む他の検査方法が用いられ得る。別の実施形態において、的確な製造者及び型番／製品番号を識別するために、写真画像が用いられる。目視識別は、測定、物理（例えば、ミリメートル、インチ）、画素数またはその他に基づく計算のうちの任意の組み合わせを含み得る。識別は、電子デバイスの寸法、ボタンの位置／大きさ、ＬＣＤ及び他の物理的特性に基づく。高さ、幅、奥行きを判定するために、必要に応じて１つのカメラまたは複数のカメラが用いられ得る。識別は、キャリア（電話及びタブレットコンピュータ）、ブランド、モデル、シリアル番号、等の識別子、他の識別子等のＯＣＲ（光学式文字認識）に基づく。識別は、バーコードに基づく。消費者は、ＣＥを全面、背面、側面に配向するように依頼され、次に必要に応じて配向を変更するように依頼され得る。消費者は、識別可能な品目、かかる英数字またはバーコードデータへのアクセスを得るために、ＣＥカバー（複数可）、バッテリ等を外すようにさらに依頼され得る。キオスク１００は、デバイスを識別し、その価値を判定し、可能性のある不正行為を低減するために、電気的検査とともに目視検査を用いるための方途を提供する。
【００４８】
一実施形態において、キオスク１００は、携帯電話に関連付けられるキャリアと通信して、例えば、検証または認証、登録された所有者、アカウント状況、供用期間等を含む、デバイスに密接な関係があり得る任意の情報を収集する。場合によっては、顧客の識別情報が登録された所有者情報と一致しないとき、キオスク１００は、とある方途（自動電話、電子メール、テキストメッセージ等）によって、推定される所有者に自動的に連絡し、この電話の所有者に可能性のある取引を警告する。
【００４９】
キオスク１００の実施形態の別の特徴は、電子デバイス上に個人情報が存在するかを判定することである。これは、メモリの中の特定の記憶レジスタの中のデータの存在（例えば、クイックキーで記憶された数字）によって、またはファイルの種類（ｊｐｅｇ、ｍｐ３’等）を見ることによって判定され、またはすべての非デフォルトの記憶場所が必ず個人情報を含むことを単に推定する。顧客は、電話からデータを消去する機会を提案される。１つの選択肢は、データが最初にダウンロードされ、次に顧客によって指定された場所（例えば、電子メールアドレス、ウェブサイト等）に送信されることを顧客が要求することを可能にする。別の実施形態において、顧客がメモリカード（例えば、ＵＳＢドライブ、メモリスティック等）を差し込むためのスロットが存在し、そこでキオスク１００がメモリデバイスにデータをアップロードする。さらに別の実施形態において、キオスク１００は、所望する場合にユーザが後にデータを取り出すウェブ上の場所を提案する。別の実施形態において、ユーザは、データを顧客によってキオスク１００もしくはキオスク１００の所在地、または他の店舗、または購入された別の電子デバイス上に置くことを選ぶ。顧客は、好適には、システムが提供した記憶場所にアクセスするために、ユーザ名及びパスワードを選択する。
【００５０】
価値が決定されると、価値はステップ３０７でキオスクに提供される。キオスク１００は次に、典型的には再販価値よりも低い、電話についての価格または他の対価を顧客に提案する。他の実施形態において、キオスク１００は、現在のリアルタイム市場価格である価格または対価を顧客に提案する。ステップ３０８で、ユーザがこの提案を受け入れることを希望するかが決定される。希望しない場合、キオスク１００はステップ３０９に進み、扉を開き、電子デバイスを顧客に返却する。ユーザがこの提案を受け入れることを希望する場合、キオスク１００はステップ３１０に進む。ユーザが価格を受け入れた時点で、キオスク１００は次に検査域を封鎖し、ユーザによる電子デバイスへのさらなるアクセスを防止し得る。キオスク１００は次に、取り付けられたあらゆるケーブルを離断する。ステップ３１０で、ユーザは、キーパッドまたはタッチ画面上で確定することにより、決定の了承を示す。この時点で、キオスク１００は、電子デバイスから個人情報を削除することに移る。また、取引が確定されると、キオスク１００は診断データ及び取引自体に関連付けられる取引番号を電子デバイスにタグ付けする。これは、は好適には、電話に物理的に添付される印刷された接着ラベル、及び／または電話自体への取引番号に対応する電子データの取り込みである。
【００５１】
ステップ３１１で、キオスク１００は、電子デバイスのあらゆる追加的な試験及び診断を完了し、電子デバイスからケーブルを離断し、顧客用の領収書を印刷する。送金は、現金を分配すること、または割引券もしくはクーポン券を分配することにより、顧客クレジットカードまたはアカウントを与信することによってキオスク１００を介して権限を付与され得る。ステップ３１２で、キオスク１００は、自身の在庫データベースを更新し、通信ネットワークを介して更新をキオスクサーバに送信する。
【００５２】
事前取得オークションのための１つの好適な方法が図２０のフローチャートに図示される。電子デバイス及び電子デバイスの提出のためのユーザへの経済的対価の分析のための方法は、一般的に指定される１０００。ブロック１００１で、電子デバイスが識別される。ブロック１００２で、電子デバイスの中古モデルのためのあらかじめ定められた条件での入札が募られる。入札は、好適には、ウェブサイトを通じてオンラインで募られ、入札者は、好適には事前審査されている。ブロック１００３で、電子デバイスの中古モデルのための入札が、複数の入札者から受け付けられる。ブロック１００４で、電子デバイスの中古モデルのために支払われる購入価格が、複数の入札者から受け付けられた複数の入札に基づいて設定される。典型的に、購入価格は、落札した入札に基づく。落札した入札者についての出荷情報は、好適にはこの時に取得される。ブロック１００５で、電子デバイスについて、再利用キオスクで電子デバイスの中古モデルが識別される。好適には、消費者は、電子デバイスを再利用することを所望する。１００６で、電子デバイスの中古モデルの整合性が再利用キオスクで照合される。好適には、電子デバイスの状態は、デバイスの目視及び電子分析に基づいて、キオスクが電子デバイスへのあらゆる損傷を判定して、キオスクで確立される。ブロック１００７で、電子デバイスが評価及び等級付けされる。ブロック１００８で、電子デバイスの中古モデルのための購入価格が消費者にキオスクで提案される。ブロック１００９で、電子デバイスの中古モデルをキオスクで顧客から購入した後、電子デバイスが自動的に投入される。ブロック１０１０で、電子デバイスが落札した入札者に出荷される。
【００５３】
好適には、本方法のキオスク１００は筐体１０５を備え、筐体１０５は、ユーザが情報を入力するための筐体の外部表面上のユーザインターフェースと、上方ドーム及び下方ドームを備え、上方ドーム及び下方ドームは、複数の鏡を備える。キオスク１００は、上部チャンバカメラ、下部チャンバカメラ、及び透明な表面をさらに備える。キオスク１００は、筐体内にあり、かつ少なくとも１つのカメラと連通しているプロセッサ１６０をさらに備え、このプロセッサ１６０は、ユーザからの情報及び少なくとも１つのカメラからの画像のうちの少なくとも１つに基づいて、モバイル通信デバイスのブランド及び型番を識別するように構成され、このプロセッサ１６０は、モバイル通信デバイスの中古モデルの購入価格を決定するように構成される。
【００５４】
事前取得オークションのための代替的な方法は、入手のために識別されたモバイル通信デバイスから開始する。モバイル通信デバイスの中古モデルへの入札が募られる。モバイル通信デバイスの中古モデルへの入札は、複数の入札者から受け付けられる。モバイル通信デバイスの中古モデルのために支払われる購入価格が、複数の入札者から受け付けられた複数の入札に基づいて設定される。モバイル通信デバイスについて、再利用キオスクでモバイル通信デバイスの中古モデルが識別される。再利用キオスクで、モバイル通信デバイスの中古モデルの整合性が照合される。モバイル通信デバイスの中古モデルのための購入価格が消費者にキオスクで提案される。モバイル通信デバイスは、モバイル通信デバイスの中古モデルをキオスクで消費者から購入した後、自動的に投入される。モバイル通信デバイスは、落札した入札者へと発送される。
【００５５】
複数の事前取得購入価格を確立することから開始する。事前取得オークションのための別の代替的な方法は、複数の事前取得購入価格のうちのそれぞれが、再利用される電子デバイスについてあらかじめ定められた条件で確立される。事前取得購入価格のそれぞれが、再利用される電子デバイスについての複数の入札者のうちの入札者からの落札した入札によって確立される。電子デバイスがキオスクの検査域の中に位置付けられる。検査域は、少なくとも１つのカメラを有する。電子デバイスまたはその位置が撮像される。検査域の中に配置された少なくとも１つのカメラから取得された電子デバイスの画像が検査され、電子デバイスがあらゆる欠陥を有するかを判定する。電子デバイスが識別され、電子デバイスの状態が判定される。一致する事前取得購入価格が、電子デバイスについての複数の事前取得購入価格から選択される。消費者は、電子デバイスについての事前取得  購入価格を提案される。
【００５６】
古物商法を順守して電子デバイスを再販する方法５０００のためのフローチャートが図２２に示される。ブロック５００１で、装置で、電子デバイスが再販のために提出される。ブロック５００２で、キオスクのカードリーダで、電子デバイスの再販者の識別が入手される。ブロック５００３で、再販者の指紋、好適には親指の指紋が、キオスクの指紋リーダで入手される。ブロック５００４で、再販者の画像が、キオスクの外部カメラによって入手される。ブロック５００５で、電子デバイスの識別がキオスクで入手される。ブロック５００６で、再販者のための転送データが収集され、再利用者画像、再販者の識別、再販者の指紋、及び電子デバイスの識別を含む。ブロック５００７で、転送データがネットワークでサーバに送信される。
ブロック５００８で、キオスクの所在地の管轄の古物商法を考慮して転送データが分析される。ブロック５００９で、キオスクの管轄及び再販される商品に基づいて、古物商法の順守のための手順が決定される。ブロック５０１０で、操作は古物商法を順守している。
【００５７】
古物商法を順守するための本方法及びシステムは、２０１３年５月９日に出願された、Ｂｏｗｌｅｓによる米国特許出願第１３／７９２，０３０号、「Ｍｉｎｉ−Ｋｉｏｓｋ  Ｆｏｒ  Ｒｅｃｙｃｌｉｎｇ  Ｅｌｅｃｔｒｏｎｉｃ  Ｄｅｖｉｃｅｓ」とともに利用され得、これは参照により全体として本明細書に組み込まれる。古物商法を順守するための本方法及びシステムは、２０１３年１月３０日に出願された、Ｂｏｗｌｅｓらによる米国特許出願第１３／７５３，５３９号、「ＶＩｓｕａｌ  Ａｎａｌｙｓｉｓ  Ｏｆ  Ｒｅｃｙｃｌａｂｌｅ  Ｅｌｅｃｔｒｏｎｉｃ  Ｄｅｖｉｃｅｓ」とともに利用され得、これは参照により全体として本明細書に組み込まれる。古物商法を順守するための本方法及びシステムは、２０１２年１２月２４日に出願された、Ｂｏｗｌｅｓらによる米国特許出願第１３／６５８，８２５号、「Ｍｅｔｈｏｄ  Ａｎｄ  Ａｐｐａｒａｔｕｓ  Ｆｏｒ  Ｒｅｃｙｃｌｉｎｇ  Ｅｌｅｃｔｒｏｎｉｃ  Ｄｅｖｉｃｅｓ」とともに利用され得、これは参照により全体として本明細書に組み込まれる。古物商法を順守するための本方法及びシステムは、２０１３年１月１４日に出願された、Ｂｏｗｌｅｓらによる米国特許出願第１３／７３３，９８４号、「Ｍｅｔｈｏｄ  Ａｎｄ  Ａｐｐａｒａｔｕｓ  Ｆｏｒ  Ｒｅｃｙｃｌｉｎｇ  Ｅｌｅｃｔｒｏｎｉｃ  Ｄｅｖｉｃｅｓ」とともに利用され得、これは参照により全体として本明細書に組み込まれる。古物商法を順守するための本方法及びシステムは、２０１２年１２月５日に出願された、Ｂｏｗｌｅｓらによる米国特許出願第１３／７０５，２５２号、「Ｐｒｅ−Ａｃｑｕｉｓｉｔｉｏｎ  Ａｕｃｔｉｏｎ  Ｆｏｒ  Ｒｅｃｙｃｌｅｄ  Ｅｌｅｃｔｒｏｎｉｃ  Ｄｅｖｉｃｅｓ」とともに利用され得、これは参照により全体として本明細書に組み込まれる。
【００５８】
上記より、当業者であれば本発明の称賛すべき前進を理解し得、かつ本発明がその好適な実施形態及び添付の図面に図示された実施形態に関連して説明されたが、それらにおける同等物の多くの変更、修正、及び置換が、本発明の趣旨及び範囲を逸脱することなく行われ得、下記の付属の特許請求の範囲に出現し得る場合を除き、これが上記による制限のないことが意図されるということを理解し得ると考えられる。したがって、独占的な権利または特権が主張される本発明の実施形態は、以下の付属の特許請求の範囲に画定される。
【図４】
2016519355.tif 000003
【図６】
2016519355.tif 000004
【図７】
2016519355.tif 000005
【図８】
2016519355.tif 000006
【図８Ａ】
2016519355.tif 000007
【図８Ｂ】
2016519355.tif 000008
【図８Ｃ】
2016519355.tif 000009
【図９】
2016519355.tif 000010
【図９Ａ】
2016519355.tif 000011
【図９Ｂ】
2016519355.tif 000012
【図９Ｃ】
2016519355.tif 000013
【図９Ｄ】
2016519355.tif 000014
【図１０】
2016519355.tif 000015
【図１０Ａ】
2016519355.tif 000016
【図１０Ｂ】
2016519355.tif 000017
【図１０Ｃ】
2016519355.tif 000018
【図１１】
2016519355.tif 000019
【図１１Ａ】
2016519355.tif 000020
【図１１Ｂ】
2016519355.tif 000021
【図１１Ｃ】
2016519355.tif 000022
【図１２】
2016519355.tif 000023
【図１４】
2016519355.tif 000024
【図１５】
2016519355.tif 000025
【図１６】
2016519355.tif 000026
【図１８】
2016519355.tif 000027
【図１】
2016519355.tif 000028
【図２】
2016519355.tif 000029
【図３】
2016519355.tif 000030
【図５】
2016519355.tif 000031
【図１３】
2016519355.tif 000032
【図１７】
2016519355.tif 000033
【図１９】
2016519355.tif 000034
【図２０】
2016519355.tif 000035
【図２１】
2016519355.tif 000036
【図２２】
2016519355.tif 000037
【国際調査報告】
2016519355.tif 000038
2016519355.tif 000039